(57)【特許請求の範囲】
【請求項１】
全体が略四角形の本体部と、
前記本体部の１辺の両側から一方に突出させ、先端にボタンを取付けてなる一対の突出片と、
前記一対の突出片間に配設した乳幼児の頭部に被せるキャップと、
前記本体部の３辺に紐を挿入し、前記本体部の３辺を締め付け自在とした紐締付部と、
前記一対の突出片には、前記本体部と前記一対の突出片の接続部にその突出片の幅を維持する平帯材からなるベルトガイドを配設し、前記本体部の１辺の間隔設定自在とした間隔設定部を配設したことを特徴とする多用途おくるみ。
【請求項２】
前記全体が略四角形の本体部は、前記キャップを設けていない対向辺に複数のボタンを配設したことを特徴とする請求項１に記載の多用途おくるみ。
【請求項３】
前記キャップを設けた辺には、前記本体部と前記キャップとの接続部にその辺の幅を狭くする紐を挿入し、前記本体部の１辺を間隔調整自在とした間隔調整部を配設したことを特徴とする請求項１または請求項２に記載の多用途おくるみ。
【発明の詳細な説明】
【技術分野】
【０００１】
本発明は、乳幼児等の子供のおくるみに関するものであり、その他にも、おんぶや抱っこの掛けもの、膝掛け、マント等、従来のおくるみと同様に使用できると共に、着用時に頭部を包み込むことができるフード機能を形成することによって、災害時においても防災頭巾としても使用でき、また、ベビーカーや自動車用のチャイルドシート、自転車同乗器に保持された乳幼児を含む子供等を覆い、外出時における防寒、防風、防水（雨）用等として使用できる多用途おくるみに関するものである。
【背景技術】
【０００２】
従来技術として、例えば、ベビーカーに子供を乗せた際の防寒具、抱っこ紐、敷物を兼用可能なおくるみ、抱っこやおんぶ用のブランケット、周縁にファスナーを設け、２つ折りにして乳幼児を包み、ベビーカーやチャイルドシート用の膝掛けのほか、股部を備えたオーバーオール型のおくるみとして使用できる幼児用膝掛けが開示されている。
【０００３】
例えば、特許文献１は、利用者の身体を覆い得る大きさを有する所定形状の布体と、該布体に形成された紐通路に挿通された紐体とを備え、前記紐通路は布体の上縁部に始端及び終端を有する略Ｕ字状に形成されるとともに外部に開口された開口部を有し、該開口部から前記紐体の端部が引き出される技術を開示している。
【０００４】
したがって、開口部から引き出された紐体を引っ張ることにより、布体が略Ｕ字状の紐通路に沿うラインで絞られ、布体の上部にフード状の部分が形成される。また、このフード状部分で頭部を覆うようにして乳幼児に着用させることができ、そして、入浴後やプールに入った後において着用させることで、頭髪を乾かすのに役立てることができ、災害時においては頭部を保護する防災頭巾として使用することができる。更に、紐体を引っ張らない状態では、おくるみ、掛け布団、膝掛け等、従来のアフガンと同様の用途に使用できるため、外出時に携帯しても邪魔にならず、携帯用の防災用品としても利用できる。
【０００５】
また、特許文献２は、人体保持具に保持された人を少なくとも一方側から覆うブランケットであって、展開時に略方形をなす形状で形成されたブランケット本体と、前記ブランケット本体に設けられ、ブランケット本体の適宜位置から折り曲げた際に、その折り曲げ状態を維持する止め部材とを備え、前記止め部材が、ブランケット本体を折り曲げた際に両足をまとめて包み込み可能な折り曲げ状態と、ブランケット本体を折り曲げた際に両足を個別に二股状態で包み込み可能な折り曲げ状態とを維持可能な位置に設けられ、前記２種類の折り曲げ状態を、使用目的に応じて使い分け可能であるブランケットを開示している。
【０００６】
したがって、展開時に略方形をなす形状で形成されたブランケット本体を備え、止め部材により、少なくとも、両足をまとめて包み込み可能な折り曲げ状態と、両足を個別に二股状態で包み込み可能な折り曲げ状態とを維持可能な構造となっており、両足をまとめて包み可能な折り曲げ状態で使用すれば、抱っこ紐、ベビーカーまたはチャイルドシートにおいて、胴部から足下までを確実に被覆でき、防寒性に優れている。また、両足を個別に二股状態で包み込み可能な折り曲げ状態で使用することにより、各足をそれぞれ被覆できるため、両足を開いて乗せる自転車同乗器でも十分な防寒性を発揮できる。即ち、このように姿勢が異なっても、それぞれに対応して十分な防寒性を機能させることができる。しかも、ブランケット本体の形状は、略方形であり、これに止め部材が設けられているだけの簡易な構成であるため、製造コストも廉価となる。
【０００７】
また、ずれ落ち防止部材を備えた構造とすることにより、かかるずれ落ち防止部材を人体保持具の任意の部位に係合させるだけでずれ落ちを防止でき、防寒性が損なわれることを低減できる。更に、止め部材を構成する係止部材と被係止部材のいずれか少なくとも一方を複数設け、係止する位置を変えることにより、折り曲げ幅を変更可能な構成としたり、ずれ落ち防止部材のブランケット本体への取り付け位置を変更可能な構成としたりすることにより、子供の成長に応じて実質的に使用サイズを変更でき、防寒用のブランケットを必要とする成長期間中、長期に亘り１枚のブランケットで対応でき、経済的負担が少なくて済むことになる。
【先行技術文献】
【特許文献】
【０００８】
【特許文献１】特開２００６−２１４０２５
【特許文献２】特開２００５−２９０６５３
【発明の開示】
【発明が解決しようとする課題】
【０００９】
特許文献１においては、本体を四角形に形成しているから、使用形態においては、２重にまたは３重に重ねる部分が生ずるので、乳幼児の温度調整との関係が特定できなかった。また、特許文献２においては、使用形態においては、２重にまたは３重に重ねる部分が生じないが、使用態様が複雑に変化するので、その変化の使用態様を使用者が理解できるように何回か練習を行っていないと、使用したいときに使用できないという事態に陥る可能性がある。
また、複数の使用状態を前提に設定されているが、収納状態が不明なもの、コンパクトさに欠けるものが開示され、従来技術には効率の良い収納ができるおくるみは開示されていない。
【００１０】
そこで、本発明は、使用形態においては、２重にまたは３重に重ねる部分が生じないシンプルな形状で、複数の使用形態が確保でき、コンパクトに格納できる多用途おくるみの提供を課題とするものである。
【課題を解決するための手段】
【００１１】
請求項１の発明にかかる多用途おくるみは、全体が略四角形の本体部の１辺から突出し、先端にボタンを取付けた一対の突出片と、前記一対の突出片間に配設した乳幼児の頭部に被せるキャップと、前記本体部の３辺に紐を挿入し、前記本体部の３辺を締め付け自在とした紐締付部とを具備する。
ここで、上記全体が略四角形の本体部は、正方形でもよいし、長方形でもよい。可能な限り重ね合わせ部が少ない構造とするものである。しかし、空気流の遮断の必要性があり、重ね合わせ部分を完全になくすものではない。また、略四角形の本体部は、普通、各角を面取りするものであるから、面取りによっても重ね合わせの程度が変化し、かつ、各角を面取りしたものも略四角形の概念に入れるものである。
また、上記先端にボタンを取付けた一対の突出片とは、前記本体部の１辺の両側から一方に突出させ、先端にスナップボタン、マグネットボタン等のボタンを取付けてなる一対の略長方形の突出片としたものである。ここで、略長方形とは、長方形に限定されるものではなく、端部の各角は面取りされるから、長方形として見做される形状を特定したものである。
そして、上記乳幼児の頭部に被せるキャップは、略半円を形成していてもよいし、略長方形を形成していてもよいし、略二等辺三角形状を形成していてもよい。
更に、上記本体部の３辺を締め付け自在とした紐締付部は、少なくとも前記本体部の３辺の紐通路に紐を挿入し、前記本体部の３辺の長さを調節できる構造を成しておればよい。また、前記本体部の３辺に紐を挿入とは、１辺ごとの紐通路に紐を挿入してもよいし、２辺または３辺の紐通路に１本の紐を挿入してもよい。
【００１２】
前記一対の突出片には、前記本体部と前記一対の突出片の接続部に前記突出片の幅を維持する平帯材からなるベルトガイドを配設し、前記本体部の１辺からを間隔設定自在とした間隔設定部を配設したものである。
ここで、上記一対の突出片は、前記本体部と前記一対の突出片の接続部の幅を維持する平帯材が配設されておればよく、特に、前記本体部の１辺からの間隔設定を自在とするものであり、２段または３段にその間隔が変化できるものであればよい。
【００１３】
請求項２の発明にかかる多用途おくるみの上記全体が略四角形の本体部には、前記キャップを設けていない対向辺に複数のスナップボタンを配設したものである。
ここで、複数のスナップボタンとは、一対のボタンが特定されやすく、また、構造的にも安定した機能を有しているボタンとして特定するものであり、他のボタンの使用を否定するものではない。
【００１４】
請求項３の発明にかかる多用途おくるみの前記キャップを設けた辺には、前記本体部と前記キャップとの接続部の辺の幅を狭くする紐を配設し、前記本体部の１辺の間隔を調整自在とした間隔調整部を配設したものである。
ここで、上記間隔調整部は、前記キャップを設けた辺の間隔を、紐の長さを基準に調整できるものであればよい。当然ながら、前記本体部の３辺に紐を挿入し、前記本体部の３辺を締め付け自在とした紐締付部と同一構造が使用できる。
【発明の効果】
【００１５】
請求項１の多用途おくるみは、全体が略四角形の本体部の１辺の両側から一方に突出させ、先端にボタンを取付けてなる一対の突出片と、前記一対の突出片間に配設した乳幼児の頭部に被せるキャップと、前記本体部の３辺に紐を挿入し、前記本体部の３辺を締め付け自在とした紐締付部とを具備するものであるから、全体が略四角形の本体部は、膝掛け、マント等、従来のおくるみと同様の用途に使用でき、また、乳児用のおくるみとしても使用でき、そして、前記キャップは着用時に頭部を包み込む防寒、防災時に帽子として使用できる。
そして、先端にボタンを取付けてなる一対の突出片は、おんぶや抱っこの掛けものとして、乳児用のおくるみとしての襟元の処理として、外出時における防寒、防風、防水（雨）用のマント等として使用できる。
前記本体部の３辺に紐を挿入し、前記本体部の３辺を締め付け自在とした紐締付部は、乳幼児のサイズに合致した形態とすることができるから、前記本体部の周囲にひだを形成することにより、変形自在とすることができる。
このように、本発明の多用途おくるみは、乳幼児の身長、体重に左右されることなく使用でき、しかも、組付ける場合に使用する個所が容易に推定されるものであるから、マニュアルを携帯することなくしても使用方法を間違えることがない。
なお、前記キャップには、前記本体部及び前記一対の突出片が収容自在とすることができ、前記キャップが袋として機能し、全体を無理なくコンパクトに収容できる。
【００１６】
前記一対の突出片には、前記本体部と前記一対の突出片の接続部に前記突出片の幅を維持する平帯材を配設し、前記本体部の１辺の間隔設定自在とした間隔設定部を配設したものであるから、乳幼児のおくるみとして使用した場合の襟元を狭くすることにより、乳幼児の動きの自由度を高めることができる。また、乳幼児の口や鼻に前記一対の突出片に被さることがない。
【００１７】
請求項２の多用途おくるみの前記全体が略四角形の本体部には、前記キャップを設けていない対向辺に複数のボタンを配設したものであるから、請求項１に記載の効果に加えて、乳幼児を包み込むときに最小限度の巻き込み材料とすることができ、重複する材料の使用を前提としない。また、前記本体部の３辺に紐を挿入し、前記本体部の３辺を締め付け自在とした紐締付部は、乳幼児のサイズに合致した形態とすることができるから、前記本体部の周囲に襞を形成することにより、乳幼児の包み込みを自在とすることができる。
【００１８】
請求項３の多用途おくるみの前記キャップを設けた辺には、前記本体部と前記キャップとの接続部にその辺の幅を狭くする紐を挿入し、前記本体部の１辺を間隔調整自在とした間隔調整部を配設したものであるから、請求項１または請求項２に記載の効果に加えて、乳幼児のおくるみとして使用した場合の襟元を狭くすることにより、乳幼児の頭及び顔の動きの自由度を高めることができる。また、外出時における防寒、防風等の機能を持たせることができる。
【図面の簡単な説明】
【００１９】
【図１】図１は本発明の実施の形態の多用途おくるみの内面側を見た平面図である。
【図２】図２は本発明の実施の形態の多用途おくるみの外面側を見た裏面図である。
【図３】図３は本発明の実施の形態の多用途おくるみの長さを抑制する場合の調整方法を示す平面図である。
【図４】図４は本発明の実施の形態の多用途おくるみの組付け状態を示す平面図である。
【図５】図５は本発明の実施の形態の多用途おくるみに乳幼児を包んだ状態の斜視図である。
【図６】図６は本発明の実施の形態の収納状態を示すもので、（ａ）は折り畳み順序を説明する説明図、（ｂ）は収納状態を説明する斜視図である。
【図７】図７は本発明の実施の形態の多用途おくるみを抱っこベルトに取付ける場合の説明図で、（ａ）は取付順序を説明する説明図、（ｂ）は取付けた状態を示す説明図である。
【図８】図８は本発明の実施の形態の多用途おくるみによる抱っこ状態を示す斜視図である。
【図９】図９は本発明の実施の形態の多用途おくるみによるおんぶ状態を示す斜視図である。
【図１０】図１０は本発明の実施の形態の多用途おくるみをカートに取付けた場合の斜視図である。
【図１１】図１１は本発明の実施の形態の多用途おくるみをマントとして使用の説明図で、（ａ）は前方から見た斜視図及び（ｂ）は後方から見た斜視図である。
【図１２】図１２は本発明の実施の形態の多用途おくるみを授乳に使用した場合の授乳状態の斜視図である。
【発明を実施するための形態】
【００２０】
以下、本発明の実施の形態について、図面に基づいて説明する。なお、実施の形態において、図示の同一記号及び同一符号は、同一または相当する機能部分であるから、ここではその重複する説明を省略する。
【００２１】
まず、本発明の実施の形態の多用途おくるみについて説明する。
図１において、略四角形の本体部１０は、全体が正方形に近いもので、具体的には図１において下方向の角(隅)が面取りされている。しかし、基本的に本体部１０の形状の面取りを幾つにしなければならないとの設計的制限はないので、基本的形状を前提に略四角形の形態と特定するものである。
【００２２】
本体部１０の１辺、即ち、図１における上方向に突出されている上辺の両側には、一対の突出片２０Ｌ，２０Ｒ(以下、突出片の左右を区別しないときにはまとめて「２０」と記すことがある。他も同様とする)が形成されている。本体部１０の両側辺、図１に示す上辺と直角に交わる左右両側の辺からの延長線上に突出片２０Ｌまたは２０Ｒの辺が一致するように形成されている。一対の突出片２０の長さは、乳幼児Ｂのおくるみとした時の襟元の距離が十分に被うことができるような長さに設定されている。また、その幅、即ち、図１の横方向の幅は、乳幼児Ｂのおくるみとした時の襟元を露出しないように被うことができる幅となっている。
【００２３】
この一対の突出片２０（２０Ｌ，２０Ｒ）の先端側は、面取りがなされており、全体が逆Ｕ字状の逆カップ形状のシルエットラインとなっている。その内側の上端部にスナップボタン２１Ｌ及びスナップボタン２１Ｒが配設されており、乳幼児Ｂのおくるみとした時の襟元の距離が一義的に決定されている。なお、本実施の形態では、これを特定の長さとして設定しているが、本発明を実施する場合には、スナップボタン２１Ｌとスナップボタン２１Ｒを一対に限定することなく、複数対または片側のみを複数とし、距離を変更自在としてもよい。この種の実施例では、襟元の調整を行うことができる。ここで、一義的に距離を決めているのは、乳幼児Ｂの個人差を考慮しても片側が２ｃｍ以下の違いにすぎないから、単純化し、固定距離としたものである。
【００２４】
一対の突出片２０（２０Ｌ，２０Ｒ）間に形成した乳幼児Ｂの頭部に被せるキャップ３０は、本体部１０の上辺から延長して突出させ、略二等辺三角形を呈している。ここで本体部１０の上辺は、略二等辺三角形の下辺としている。このキャップ３０は、本体部１０及び一対の突出片２０（２０Ｌ，２０Ｒ）からなる表裏一対になった生地を立体裁断したものであり、図１の中央の上下方向で縫合されており、内部は乳幼児Ｂの頭部が入るように空間になっている。キャップ開口３１はその空間の入り口になっている。
即ち、本体部１０と一対の突出片２０（２０Ｌ，２０Ｒ）とキャップ３０は、表裏一対になった生地によって裁断されており、本体部１０に一対の突出片２０（２０Ｌ，２０Ｒ）とキャップ３０を縫製によって接続したものではない。したがって、意匠性を維持するために柄合わせする必要がない。勿論、本発明を実施する場合には、本体部１０と一対の突出片２０（２０Ｌ，２０Ｒ）とキャップ３０が、表裏一対になった生地によって裁断され、それを縫製したものでもよい。
【００２５】
ここで表裏一対になった生地とは、図１の表面は内面側に位置する生地１で、肌触り感が良い材料が選択される。また、図２の表面は外面側に位置する生地２であり、意匠性の良い材料が選択される。しかし、夏季のように気温が高い場合、或いは気温が高い地域、場所で使用する場合には、内面側に位置する生地１及び外面側に位置する生地２は通気性の良い網目に織り込んだ生地が使用される場合もある。また、内面側に位置する生地１及び外面側に位置する生地２の間に、断熱マット、吸湿マット、ネット等を挟んだものであってもよい。
何れにせよ、表裏一対になった生地とは、内面側に位置する生地１及び外面側に位置する生地２が１枚物のように裁断されるものである。
【００２６】
本体部１０のキャップ３０を形成した辺を除く３辺には、紐１２（１２Ｌ，１２Ｒ）を挿入し、本体部１０の３辺を締め付け自在とするため、各辺に沿って袋状に形成した紐通路１１と、その紐通路１１に挿入され、一端を突出片２０Ｌの付け根に縫い合わせて堅固に固着した紐１２Ｌ、同様に、一端を突出片２０Ｒの付け根に縫製して堅固に固着した紐１２Ｒと、紐１２（１２Ｌ，１２Ｒ）の他端が本体部１０のキャップ３０の対向辺の中央から露出するように導出し、貫通孔を設けたボールからなる紐締付部１３を挿通し、そのボールからなる紐締付部１３の外側で、紐１２（１２Ｌ，１２Ｒ）を一体に結びつけた結び目１４を具備している。
紐１２は、主に、本体部１０のキャップ３０の対向辺の中央から導出し、貫通孔を設けた紐締付部１３を挿通し、その紐締付部１３の外側で結び目１４を形成した構成となっており、これによって本体部１０の１辺を間隔調整自在とした間隔調整部となっている。
【００２７】
ここで、本体部１０のキャップ３０を形成した辺を除く３辺から、紐１２（１２Ｌ，１２Ｒ）を引き出すと、３辺の生地に襞が寄り、本体部１０の３辺から紐１２（１２Ｌ，１２Ｒ）を引き出すことができる。このとき、紐１２（１２Ｌ，１２Ｒ）が貫通する貫通孔を設けた紐締付部１３を本体部１０の紐通路１１に接触する位置まで移動させると、紐１２Ｌと紐１２Ｒは、直角に移動方向を変更しようとするから、紐通路１１側に外力を付与しても(襞が延びようとしても)、紐１２Ｌ及び紐１２Ｒは紐締付部１３を移動しない。即ち、紐１２Ｌ及び紐１２Ｒの移動がロックされる。
したがって、図３に示すように、本体部１０の下方が紐１２（１２Ｌ，１２Ｒ）によって短く引き上げられた構造となる。
【００２８】
また、一対の突出片２０（２０Ｌ，２０Ｒ）は、相互に折り重ねることにより、乳幼児Ｂの頸部を被うことになる。例えば、図４及び図５に示すように、乳幼児Ｂのおくるみとして使用するときには、一対の突出片２０Ｌ，２０Ｒは乳幼児Ｂの背後でスナップボタン２１Ｌとスナップボタン２１Ｒが接続自在になっているから、図５の状態に包み、かつ、複数個のスナップボタン１５Ｌ，１５Ｒ及びスナップボタン１６Ｌ，１６Ｒを接続することにより、図５に示す乳幼児Ｂの体形に合わせたおくるみ状態となる。
【００２９】
本体部１０には、キャップ３０を配設してない左右の対向辺に、複数個のスナップボタン１５Ｌ，１５Ｒ及びスナップボタン１６Ｌ，１６Ｒが配設されている。本実施の形態では、二対のボタンとしてスナップボタン１５Ｌ，１５Ｒ及びスナップボタン１６Ｌ，１６Ｒを配設したものであるが、本発明を実施する場合には、スナップボタン１５Ｌ，１５Ｒ、スナップボタン１６Ｌ，１６Ｒが二対に限定されるものではなく、二対以上であればよい。また、ボタンとしてスナップボタン１５Ｌ，１５Ｒ、スナップボタン１６Ｌ，１６Ｒを配設しているが、他の機能ボタンとすることもできる。
【００３０】
また、図２に示すように、本体部１０のキャップ３０側の１辺には、紐３３（３３Ｌ，３３Ｒ）を挿入し、本体部１０の１辺を締め付け自在のように袋状に形成した紐通路３２と、その紐通路３２内を摺動自在に配設され、一端を紐通路３２Ｌの端部に縫製して堅固に固着した紐３３Ｌ、同様に、一端を紐通路３２Ｒの端部に縫製して堅固に固着した紐３３Ｒと、紐３３（３３Ｌ，３３Ｒ）の自由端側をボールからなる紐締付部３４の貫通孔を挿通させ、そのボールからなる紐締付部３４の外側で、紐３３（３３Ｌ，３３Ｒ）を一体に結びつけた結び目３５とからなる。
紐３３は、主に、本体部１０のキャップ３０を形成した辺から導出し、貫通孔を設けた紐締付部３４を挿通し、その紐締付部３４の外側で結び目３５を形成した構成となっており、これによって本体部１０のキャップ３０の付け根の１辺を間隔調整自在とした間隔調整部となっている。
【００３１】
この紐３３（３３Ｌ，３３Ｒ）と紐締付部３４についても、紐１２（１２Ｌ，１２Ｒ）と紐締付部１３と同様に動作する。
即ち、本体部１０から紐３３（３３Ｌ，３３Ｒ）を引き出すと、本体部１０の生地の紐通路３２側に襞が寄り、本体部１０から紐３３（３３Ｌ，３３Ｒ）を引き出すことができる。このとき、紐３３（３３Ｌ，３３Ｒ）が貫通孔を設けた紐締付部３４を挿通する本体部１０の紐通路３２に接触する位置まで移動させると、紐３３Ｌと紐３３Ｒは、直角に移動方向を変更しようとするから、紐通路３２側に外力を付与しても(襞が延びようとしても)、紐３３Ｌ及び紐３３Ｒは紐締付部３４を移動しないでロックされる。
したがって、図３に示すように、本体部１０の上方が紐３３（３３Ｌ，３３Ｒ）によってその距離が絞られた構造となる。
【００３２】
本体部１０の上方であるキャップ３０の底辺の長さを紐３３（３３Ｌ，３３Ｒ）によってその距離を絞ることは、乳幼児Ｂの肩及び頸部を狭くすることになり、保温性に優れた対応となる。また、おくるみとして使用する場合には、乳幼児Ｂの肩及び頸部を狭くすることは乳幼児Ｂとおくるみとの一体感が高くなり、襟元が寒いということがなくなる。親からすれば、抱き抱え易くなる。
【００３３】
平帯材からなるベルトガイド４０Ｌとベルトガイド４０Ｒは、配置場所が異なるだけで、機能は同一のものである。ベルトガイド４０Ｌ及びベルトガイド４０Ｒの一端は、一対の突出片２０（２０Ｌ，２０Ｒ）のパイピング処理の際にその内側に入れて縫製し、堅固に固着したものである。
ベルトガイド４０Ｌには、２個のスナップボタン４４Ｌ，４５Ｌが配設されている。また、対応するスナップボタン４６Ｌが補助ベルト４３Ｌに配設されており、２個のスナップボタン４４Ｌ，４５Ｌの何れかが接合する構造になっている。同様に、ベルトガイド４０Ｒには、２個のスナップボタン４４Ｒ，４５Ｒが配設され、また、対応するスナップボタン４６Ｒが補助ベルト４３Ｒに配設されており、２個のスナップボタン４４Ｒ，４５Ｒの何れかが接合する構造になっている。
一対の突出片２０（２０Ｌ，２０Ｒ）には、本体部１０と一対の突出片２０（２０Ｌ，２０Ｒ）の接続部にその片の幅を維持する平帯材からなるベルトガイド４０（４０Ｌ，４０Ｒ）を配設し、本体部１０の１辺の間隔設定を自在とした間隔設定部を配設したものである。
【００３４】
このベルトガイド４０Ｌとベルトガイド４０Ｒは、抱っこまたはおんぶの補助具１００の腰ベルト１２０と一体となった肩ベルト１１０に取付けられる。図７のように、抱っこまたはおんぶの補助具１００の腰ベルト１２０を親Ｗが装着した状態で、肩ベルト１１０を一対の突出片２０（２０Ｌ，２０Ｒ）と平帯材からなるベルトガイド４０Ｌとベルトガイド４０Ｒで挟み、本実施の形態の多用途おくるみを取付ける。
したがって、抱っこした状態でも、おんぶした状態でも、抱っこまたはおんぶの補助具１００に、本実施の形態の多用途おくるみを取付けることができる。
【００３５】
次に、本実施の形態の多用途おくるみの格納状態について説明する。
図６は本実施の形態の収納動作を示すもので、（ａ）は折り畳み順序を説明する説明図、（ｂ）は収納状態を説明する斜視図である。
ここで、図６（ａ）の２点鎖線の状態は、図１の状態に置かれた本実施の形態の多用途おくるみの一対の突出片２０（２０Ｌ，２０Ｒ）は下方手前に折りたたんだ状態を示している。キャップ３０のキャップ開口３１は上面に出ている。
【００３６】
ここで、まず、本体部１０をその底辺の略１／３を中央方向の矢印Ｆ１方向に折り畳み、本体部１０の中央に折り重ねる。次いで、反対側の底辺の略１／３を矢印Ｆ２方向に折曲げ、本体部１０の中央に再び折り重ねる。次に、本体部１０のキャップ３０の反対方向の端部から巻き込み、巻き込み終了した本体部１０は全てをキャップ３０のキャップ開口３１に入れる。
したがって、本実施の形態の多用途おくるみは、バッグ等に収納自在となり、携帯に便利な形となる。
【００３７】
図８は、抱っこまたはおんぶの補助具１００の腰ベルト１２０と一体となった肩ベルト１１０に図示しないベルトガイド４０（４０Ｌ，４０Ｒ）が取付けられ、親Ｗは抱っこした状態で、本実施の形態の多用途おくるみを取付けた状態を示す斜視図である。また、図９は、抱っこまたはおんぶの補助具１００の腰ベルト１２０と一体となった肩ベルト１１０に図示しないベルトガイド４０（４０Ｌ，４０Ｒ）が取付けられ、親Ｗはおんぶした状態で、本実施の形態の多用途おくるみを取付けた状態を示す斜視図である。
したがって、抱っこした状態でも、おんぶした状態でも、抱っこまたはおんぶの補助具１００に、本実施の形態の多用途おくるみを取付けることができる。
【００３８】
図１０は、乳幼児ＢをカートＣに乗せた状態で、一対の突出片２０（２０Ｌ，２０Ｒ）をカートＣに取付け、図３の反対方向に締めることにより、本体部１０は下方が紐３３（３３Ｌ，３３Ｒ）によってその距離が絞られた構造となり、カートＣの座の下面に当接するように、紐１２を引き出すと、３辺の生地に襞が寄り、本体部１０の３辺から紐１２を引き出すことができる。このとき、紐１２が貫通する紐締付部１３を本体部１０の紐通路１１に接触する位置まで移動させると、紐通路１１側に外力を付与しても、紐締付部１３の移動がロックされ、図３に示すように、本体部１０の下方が紐１２によって短くカートＣの座の下面に引き上げられた構造となる。
【００３９】
図１０は、乳幼児ＢをカートＣに乗せた状態で、一対の突出片２０（２０Ｌ，２０Ｒ）をカートＣのハンドルフレームに取付け、図３の反対方向に締めることにより、ハンドルフレームに突出片２０Ｌと突出片２０Ｒを取付けているが、本実施の形態の使用方法としては、ベルトガイド４０（４０Ｌ，４０Ｒ）をハンドルフレームに取付けることができる。また、キャップ３０のキャップ開口３１を本体部１０の内側とすることもできる。
【００４０】
図１１は本実施の形態の多用途おくるみをマントとして使用の説明図で、（ａ）は前方から見た斜視図、（ｂ）は後方から見た斜視図である。
本体１０は上着として、キャップ３０は帽子として、一対の突出片２０（２０Ｌ，２０Ｒ）は乳幼児Ｂの背後で図示しないスナップボタン２１Ｌとスナップボタン２１Ｒが接続され肩に掛けることになるから、図１１のマントの使用状態となる。
【００４１】
図１２は親Ｗが乳幼児Ｂに授乳する場合の斜視図で、一対の突出片２０（２０Ｌ，２０Ｒ）はクロスさせることなく親Ｗの背後で図示しないスナップボタン２１Ｌとスナップボタン２１Ｒが接続され肩に掛けることになるから、授乳状態を隠す図１２の掛物の使用状態となる。
【００４２】
上記実施の形態の多用途おくるみは、全体が略四角形の本体部１０と、その本体部１０の１辺の両側から一方に突出させ、先端にスナップボタン２１Ｌ，２１Ｒ等のボタンを取付けてなる一対の突出片２０（２０Ｌ，２０Ｒ）と、一対の突出片２０（２０Ｌ，２０Ｒ）間に配設した乳幼児Ｂの頭部にかぶせるキャップ３０と、少なくとも本体部１０の３辺に紐１２（１２Ｌ，１２Ｒ）を挿入し、本体部１０の３辺を締め付け自在とした紐締付部１３とを具備するものであるから、全体が略四角形の本体部１０は、膝掛け、マント等、従来のおくるみと同様の用途に使用でき、また、乳幼児Ｂのおくるみとしても使用でき、そして、キャップ３０は着用時に頭部を包み込む防寒、防災時に帽子として使用できる。
そして、先端にスナップボタン２１Ｌ，２１Ｒ等のボタンを取付けてなる一対の突出片２０（２０Ｌ，２０Ｒ）は、おんぶや抱っこの掛けものとして、乳幼児Ｂのおくるみとしての襟元の処理として、外出時における防寒、防風、防水（雨）用のマント等として使用できる。
【００４３】
本体部１０の３辺に紐１２（１２Ｌ，１２Ｒ）を挿入し、本体部１０の３辺を締め付け自在とした紐締付部１３は、乳幼児Ｂのサイズに合致した形態とすることができるから、本体部１０の周囲に襞を形成することにより、変形自在とすることができる。
このように、本発明の多用途おくるみは、乳幼児Ｂの身長、体重に左右されることなく使用でき、しかも、組付ける場合に使用する個所が容易に推定されるものであるから、マニュアルを携帯することなくしても使用方法を間違えることがない。しかも、無理のないコンパクトな構造とすることができる。
【００４４】
したがって、乳幼児Ｂのおくるみであり、その他にも、おんぶや抱っこの掛けもの、膝掛け、マント等、従来のおくるみと同様に使用できると共に、着用時に頭部を包み込むことができるフード機能を形成することによって、災害時においても防災頭巾としても使用でき、また、ベビーカーとうのカートＣや自動車用のチャイルドシート、自転車同乗器に保持された乳幼児Ｂ等を覆い、外出時における防寒、防風、防水（雨）用等として使用できる
【００４５】
上記実施の形態の多用途おくるみのキャップ３０は、本体部１０の一対の突出片２０（２０Ｌ，２０Ｒ）相互間から突出させた辺を底辺とする２等辺三角形により形成されているものであることから、型崩れの生じ難いキャップ３０となり、また、乳幼児Ｂの頭部のサイズには影響され難い立体裁断となる。勿論、フード機能も十分に果たすことができる。
【００４６】
上記実施の形態の多用途おくるみのボタンは、スナップボタン１５Ｌ，１５Ｒ、１６Ｌ，１６Ｒ、２１Ｌ，２１Ｒ、４３Ｌ，４３Ｒ、４４Ｌ，４４Ｒ、４５Ｌ，４５Ｒ、４６Ｌ，４６Ｒとし、かつ、対応する接続対象を色彩とか、形状とか、種類とかを同一にして対象を一致させたものであるから、ボタンのかけ間違いをなくし、常に正しいボタン掛けをすることができ、結果的に多用途おくるみの使用方法を間違えることがない。
【００４７】
上記実施の形態の多用途おくるみの略四角形の本体部１０には、キャップ３０を設けていない対向辺に複数のボタン、例えば、スナップボタン１５Ｌ，１５Ｒ、１６Ｌ，１６Ｒを配設したものであるから、乳幼児Ｂを包み込むときに最小限度の巻き込み材料とすることができ、重複する材料の使用を前提としない。また、本体部１０の３辺に紐１２（１２Ｌ，１２Ｒ）を挿入し、本体部１０の３辺を締め付け自在とした紐締付部１３は、乳幼児Ｂのサイズに合致した形態とすることができるから、本体部１０の周囲に襞を形成することにより、乳幼児Ｂの包み込みを自在とすることができる。
【００４８】
上記実施の形態の多用途おくるみのキャップ３０を設けた本体部１０の１辺には、本体部１０とキャップ３０との接続部にその辺の幅を狭くする紐１２（１２Ｌ，１２Ｒ）を挿入し、本体部１０の１辺を間隔設定自在とした間隔設定部を配設したものであるから、乳幼児Ｂのおくるみとして使用した場合の襟元を狭くすることにより、乳幼児Ｂの頭及び顔の動きの自由度を高めることができる。
【００４９】
上記実施の形態の多用途おくるみの一対の突出片２０（２０Ｌ，２０Ｒ）には、本体部１０と一対の突出片２０（２０Ｌ，２０Ｒ）の接続部にその片の幅を狭くする紐４０（４０Ｌ，４０Ｒ）を配設し、本体部１０の１辺からを間隔設定自在とした間隔設定部を配設したものであるから、乳幼児Ｂのおくるみとして使用した場合の襟元を狭くすることにより、乳幼児Ｂの動きの自由度を高めることができる。また、乳幼児Ｂの口や鼻に一対の突出片２０（２０Ｌ，２０Ｒ）に被さることがない。
【００５０】
上記実施の形態の多用途おくるみのキャップ３０には、本体部１０及び一対の突出片２０（２０Ｌ，２０Ｒ）が収容自在としたものであるから、キャップ３０が袋として機能し、全体をコンパクトに収容することができる。
このように、上記実施の形態の多用途おくるみは、おんぶや抱っこの掛けもの、膝掛け、マント等、従来のおくるみと同様に使用できると共に、着用時に頭部を包み込むことができるフード機能を形成することによって、災害時においても防災頭巾としても使用でき、また、ベビーカーや自動車用のチャイルドシート、自転車同乗器に保持された乳幼児を含む子供等を覆い、外出時における防寒、防風、防水（雨）用等として使用できる。
【産業上の利用可能性】
【００５１】
上記実施の形態の多用途おくるみは、本体部１０及び一対の突出片２０（２０Ｌ，２０Ｒ）が使用できるものであればよい。また、複数の使用状態を前提に設定されているが、全体の収納状態がコンパクトであればよい。勿論、紐３３Ｌ及び紐３３Ｒを紐締付部３４で締め付けることで固定してもよい。
なお、本発明は多用途おくるみとして説明したが、市販された形態で同様の機能のもの、３ウェイケープ、４ウェイケープ、フィットケープ等として販売されている構成のものと実質的に同様の機能を有するものであり、全機能に使用されることを発明の構成要件とするものではない。
【符号の説明】
【００５２】
１０    本体部
１２，１２Ｌ，１２Ｒ    紐
１３    紐締付部
２０，２０Ｌ，２０Ｒ    突出片
２１Ｌ，２１Ｒ    スナップボタン
３０    キャップ
３３，３３Ｌ，３３Ｒ    紐
３４    紐締付部
４０，４０Ｌ，４０Ｒ    ベルトガイド
１００  抱っこまたはおんぶの補助具
１１０  肩ベルト
１２０  腰ベルト
【図１】
0006038746.tif 000002
【図２】
0006038746.tif 000003
【図３】
0006038746.tif 000004
【図４】
0006038746.tif 000005
【図５】
0006038746.tif 000006
【図６】
0006038746.tif 000007
【図７】
0006038746.tif 000008
【図８】
0006038746.tif 000009
【図９】
0006038746.tif 000010
【図１０】
0006038746.tif 000011
【図１１】
0006038746.tif 000012
【図１２】
0006038746.tif 000013